(57)【要約】【課題】モニタ全体或いはパーソナルコンピュータ自体を移動することなく、背面に位置する者にモニタ画面を見せることが可能なモニタ及びノート型パーソナルコンピュータであって、ディスプレイ部の厚みを従来のままに維持可能で、重量も増加することなく、且つ、長時間の連続使用が可能なモニタ及びノート型パーソナルコンピュータを提供する。【解決手段】モニタ画面を有するディスプレイ部とディスプレイ部を反転自在に枢支する支持部材と支持部材を保持する基部を備えて構成したモニタ又はモニタ画面を有するディスプレイ部を反転自在に枢支する支持部材をノート型パーソナルコンピュータ本体の後部に枢支して構成した。【選択図】　　図１
2004145540.tif 000002
【特許請求の範囲】
【請求項１】
モニタ画面を有するディスプレイ部とディスプレイ部を反転自在に枢支する支持部材と支持部材を保持する基部を備えることを特徴とするモニタ。
【請求項２】
モニタ画面を有するディスプレイ部を反転自在に枢支する支持部材をノート型パーソナルコンピュータ本体の後部に枢支したことを特徴とするノート型パーソナルコンピュータ。
【請求項３】
モニタ画面をディスプレイ部の正面及び背面に夫々設けたことを特徴とする請求項２記載のノート型パーソナルコンピュータ。
【請求項４】
ディスプレイ部の正面又は背面のいずれかに設けられたモニタ画面は他面に設けられたモニタ画面より小面積であることを特徴とする請求項３記載のノート型パーソナルコンピュータ。
【請求項５】
ディスプレイ部の正面及び背面に夫々設けたモニタ画面は互いの背面が重なり合わない位置に設置されることを特徴とする請求項３又は請求項４に記載のノート型パーソナルコンピュータ。
【請求項６】
ディスプレイ部の正面及び背面に設けられたモニタ画面は表示切替が自在であることを特徴とする請求項３乃至請求項５に記載のノート型パーソナルコンピュータ。
【請求項７】
ディスプレイ部にカメラを設置したことを特徴とする請求項２乃至請求項６に記載のノート型パーソナルコンピュータ。
【発明の詳細な説明】
【０００１】
【発明の属する技術分野】本発明はモニタ及びそのモニタを用いたノート型パーソナルコンピュータに関し、特にディスプレイ部が反転自在であって、いずれの方角からもモニタ画面を見ることが可能で、更にはモニタ画面をディスプレイ部の正面及び背面に夫々設けたモニタ及びそのモニタを用いたノート型パーソナルコンピュータに関する。
【０００２】
【従来の技術】従来、操作者に対向して存する操作者以外の者にモニタ画面を見せる場合、独立型のフラットパネルタイプのモニタを用いている場合にはモニタ全体を動かして或いは上下左右方向に移動自在にアームにて台座に結合されたディスプレイ部を動かしてモニタ画面を相手方に向けておこなっていたが、ディスプレイ部の角度を維持しつつ或いは調整しながら移動させる必要があり、又、モニタ画面に触れて汚すことがないように注意する等かかる作業は神経を使い、煩雑であった。更に、操作者がモニタを観ることが出来ず或いは見にくくなり、モニタ画面を相手方に見せながらの更なる操作は困難であった。又、同様にノート型パーソナルコンピュータを用いる場合にはコンピュータ全体を動かしてモニタ画面を相手方に向けていたので、上記問題点のほかキーボードが操作者の正面から外れてモニタ画面を相手方に見せながらの更なる操作は困難であった。
【０００３】
そこで、独立型のフラットパネルタイプのモニタ或いはノート型パーソナルコンピュータのモニタにおいて、背面に位置する者にモニタ画面を見せるためにディスプレイ部の正面にモニタ画面を設けると共に背面にもモニタ画面を設ける技術が提案されている（例えば、特許文献１参照。）。
【０００４】
しかし当従来技術は必ず二面のモニタ画面を背中あわせに重ねて設けるため、ディスプレイ部の厚みが増すと共にディスプレイ部の重量も増え、又、消費電力が激増してバッテリー等の電源を使用している場合には使用可能な時間が短くなるという欠点を有している。
【０００５】
【特許文献１】特開２００２−１１６８４５号公報
【０００６】
【発明が解決しようとする課題】そこで、本発明はモニタ全体或いはパーソナルコンピュータ自体を移動することなく、背面に位置する者にモニタ画面を見せることが可能なモニタ及びノート型パーソナルコンピュータであって、ディスプレイ部の厚みを従来のままに薄く維持可能で、重量も増加することなく、且つ、長時間の連続使用が可能なモニタ及びノート型パーソナルコンピュータを提供することを目的とする。
【０００７】
【課題を解決するための手段】本発明において、上記課題を解決する為の第一の手段は、モニタ画面を有するディスプレイ部とディスプレイ部を反転自在に枢支する支持部材と支持部材を保持する基部を備えることを特徴とするモニタである。
【０００８】
又、第二の手段は、モニタ画面を有するディスプレイ部を反転自在に枢支する支持部材をノート型パーソナルコンピュータ本体の後部に枢支したことを特徴とするノート型パーソナルコンピュータである。
【０００９】
又、第三の手段は、第二の手段において、モニタ画面をディスプレイ部の正面及び背面に夫々設けたことを特徴とするノート型パーソナルコンピュータである。
【００１０】
又、第四の手段は、第三の手段において、ディスプレイ部の正面又は背面のいずれかに設けられたモニタ画面は他面に設けられたモニタ画面より小面積であることを特徴とするノート型パーソナルコンピュータである。
【００１１】
又、第五の手段は、第三又は第四の手段において、ディスプレイ部の正面及び背面に夫々設けたモニタ画面は互いの背面が重なり合わない位置に設置されることを特徴とするノート型パーソナルコンピュータである。
【００１２】
又、第六の手段は、第三乃至第五の手段において、ディスプレイ部の正面及び背面に設けられたモニタ画面は表示切替が自在であることを特徴とするノート型パーソナルコンピュータである。
【００１３】
又、第七の手段は、第二乃至第六の手段において、ディスプレイ部にカメラを設置したことを特徴とするノート型パーソナルコンピュータである。
【００１４】
以上のような第一乃至第六の手段によれば、モニタ全体或いはパーソナルコンピュータ自体を移動することなく、背面に位置する者にモニタ画面を見せることが可能であって、ディスプレイ部の厚みを従来のままに薄く維持可能で、重量も増加することなく、且つ、節電可能で長時間の連続使用が可能となる。又、第七の手段によれば、ディスプレイ部の回転に伴ってカメラも向きを変えるので、撮影時にモニタ或いはノート型パーソナルコンピュータ自体を動かす必要がなく、便利である。
【００１５】
【発明の実施の形態】以下本発明の実施の形態を図に従って説明する。ノート型パーソナルコンピュータ１はＣＰＵ、メモリやハードディスク等を内蔵し、上面にキーボード等を備えたパーソナルコンピュータ本体２（以下本体２という）と本体２の後部に回動自在且つ角度調節自在に枢支されたモニタ３を備え、モニタ３は本体２の後部に回動自在且つ角度調節自在に枢支された支持部材４とモニタ画面６１，６２をその正面及び背面に備え、支持部材４に枢支されるディスプレイ部５を備えている。
【００１６】
支持部材４は長方形の枠体であり、下端部をヒンジ３１，３１を用いて本体２の後部に結合して設置し、モニタ３を回動自在且つ角度調節自在にしている。又、支持部材４の上辺４１及び下辺４２の略中央部には対向して軸孔４８，４９を設けている。
【００１７】
ディスプレイ部５の正面、即ち通常使用時には操作者に向いている面には第一モニタ画面６１、背面、即ち通常使用時には操作者に向いていない面には第二モニタ画面６２を設けている。背面に設ける第二モニタ画面６２は第一モニタ画面６１に比べて小面積に構成することは、消費電力の軽減、ディスプレイ部の厚みを薄く保つ為更にはモニタの重量を軽く保つ為に推奨される。第二モニタ画面６２はディスプレイ部５の背面の中心部に設置してもよいが、端部に設けることとしてもよい。又、ディスプレイ部５の正面に設ける第一モニタ画面６１をディスプレイ部５の正面の一部にのみ設けると共に、ディスプレイ部５の背面に設ける第二モニタ画面６２をディスプレイ部５の正面の第一モニタ画面６１が設けられていない部分の背面に設け、ディスプレイ部５の正面及び背面に夫々設けたモニタ画面６１，６２は互いの背面が重なり合わない位置に設置してもよく、このような構成とすることで、モニタの厚さを薄く維持することが可能となる。
【００１８】
又、ディスプレイ部５の背面はモニタ３を閉じた状態にした場合にはノート型パーソナルコンピュータ１の表面に位置するので、第二モニタ画面６２を被覆する開閉自在の蓋体を設けることが第二モニタ画面６２の保護の為にも望ましい。尚、ディスプレイ部５は背面にモニター画面６を設けずに、正面にのみモニター画面６を設けて構成する場合もある。
【００１９】
ディスプレイ部５を反転させて第一モニタ画面６１を対向者に見せる際には、操作者が第二モニタ画面６２を見ることになるが、この場合に第一モニタ画面６１と第二モニタ画面６２の画面表示が全く同一でもよいが、第二モニタ画面６２にのみ残存電力に関する警告画面、その他の警告画面等を表示させるようにし、或いは操作者が見る第二モニタ画面６２にはサムネイル画面が表示され、第一モニタ画面６１には第二モニタ画面６２に表示されたサムネイル画面のうち選択されたもののみを拡大表示する等第一モニタ画面６１と第二モニタ画面６２の画面表示を異なるものとしてもよい。
【００２０】
又、電源を入れてモニタ画面６に画面表示をする際には第一モニタ画面６１及び第二モニタ画面６２双方に画面表示がなされることとしてもよいが、消費電力の節電のために第一モニタ画面６１及び第二モニタ画面６２のうちのいずれか任意のモニタ画面にのみ画面表示がされることとしてもよい。このためには、例えば両モニタ画面６１，６２へ接続される電気回路を開閉するスイッチを夫々に設ける等すればよい。又、電力が残り少なくなった場合に電力消費が大きい大画面の第一モニタ画面６１から小画面の第二モニタ画面６２に自動に切り替わることで、残存電力が残り少なくなったことを使用者に警告すると共に、節電を行うこととしてもよい。
【００２１】
ディスプレイ部５の上端及び下端の略中央部には夫々回転軸５９，５８を突出して設けている。回転軸５９，５８の何れか、望ましくは下端に設けた回転軸５８は筒状に形成し、本体２とモニタ３を接続する各種ケーブル１１１の挿通孔とする。ディスプレイ部５は支持部材４の上辺４１及び下辺４２の略中央部に設けた軸孔４９，４８にディスプレイ部５の上端及び下端の略中央部に夫々設けた回転軸５９，５８を挿入して、該回転軸５９，５８を支点として、横方向に回転して反転自在且つ、位置調節自在に支持部材４に枢支する。支持部材４とディスプレイ部５を平面状に維持することを容易とする為に、ディスプレイ部５の側面と支持部材４の内側面に適宜凹部４７，４７…と突起５６，５６…を設けて該突起５６，５６…を凹部４７，４７…に嵌脱自在としてもよい。
【００２２】
又、ディスプレイ部５の正面又は／及び背面にはカメラ８を設置することとしてもよい。カメラ８はディスプレイ部の回転に伴って向きを変えるので、撮影時にモニタ或いはノート型パーソナルコンピュータ自体を動かす必要がないので便利である。又、このカメラ８により例えば相手方を映して第一モニタ画面６１又は／及び第二モニタ画面６２に表示することによりモニタに隠れてしまう相手方の表情等を見ることが出来る等便利である。
【００２３】
又、図４乃至図６に示すように支持部材４の側辺４３，４３の略中央部に軸孔４４，４５を設けると共に、ディスプレイ部５の側端の略中央部に夫々回転軸５４，５５を突出して設け、軸孔４４，４５に夫々回転軸５４，５５を挿入して、該回転軸５４，５５を支点として回転し、反転自在且つ、位置調節自在に支持部材４に枢支することとしてもよい。
【００２４】
更に、図７乃至９に示すように、Ｉ字型に形成した支持部材４２、Ｌ字型に形成した支持部材４３或いは一文字型に形成した支持部材４４を用いて構成してもよい。Ｉ字型の支持部材４２は下端部をヒンジ３１を用いて本体２の後部側端部に結合して設置し、側面の中央部或いは中央より上方に形成した筒状の回転軸５０８とディスプレイ部５の側端の中央部或いは中央より上方の側端に形成した筒状の回転軸５０９を嵌合してディスプレイ部５を縦方向に回転して反転自在且つ、位置調節自在に支持部材４に枢支する。一字型の支持部材４４はヒンジ３１，３１を用いて本体２の後部に結合して設置し、支持部材４４上面の適宜位置に形成した筒状の回転軸５０８とディスプレイ部５の下端に形成した筒状の回転軸５０９を嵌合してディスプレイ部５を横方向に回転して反転自在且つ、位置調節自在に支持部材４に枢支する。Ｌ字型の支持部材４３は下辺４３１をヒンジ３１，３１を用いて本体２の後部に結合して設置し、下辺４３１上面或いは縦辺４３２側面に形成した筒状の回転軸５０８とディスプレイ部５の下端或いは側面に形成した筒状の回転軸５０９を嵌合してディスプレイ部５を横或いは縦方向に回転して反転自在且つ、位置調節自在に支持部材４に枢支する。
【００２５】
このように本発明のモニタはノート型パーソナルコンピュータに用いるほか、モニタとコンピュータ本体が分離して構成されるシステムの独立したモニタ或いはテレビのモニタや監視カメラ用のモニタ等の各種モニタとしても以下のように構成して用いることが可能である。
【００２６】
即ち、図１０に示すように、台座９１とアーム９２からなる基部９を用いて、台座９１と支持部材４をアーム９２にて連結して支持部材４を保持する。アームを台座９１に支承させると共に、支持部材４をアーム９２に支承させて支持部材４を移動自在に設置することは推奨される。支持部材４、ディスプレイ部５、モニタ画面６の構成は前述のような様々な構成を選択可能である。
【００２７】
【発明の効果】以上のような請求項１乃至請求項６記載の発明によれば、モニタ及びノート型パーソナルコンピュータにおいて、モニタ全体或いはパーソナルコンピュータ自体を移動することなく、背面に位置する者にモニタ画面を見せることが可能であり、しかも、ディスプレイ部の厚みを従来のままに薄く維持可能で、重量の増加を防止可能、且つ、ノート型パーソナルコンピュータにおいては消費電力の増加を防止して長時間の連続使用が可能となった。又、請求項７記載の発明によれば、ディスプレイ部の回転に伴ってカメラも向きを変えるので、撮影時にモニタ或いはノート型パーソナルコンピュータ自体を動かす必要がなく、便利となった。
【図面の簡単な説明】
【図１】本発明一実施例ディスプレイ部の正面が手前側に位置する状態斜視図
【図２】本発明一実施例ディスプレイ部の背面が手前側に位置する状態斜視図
【図３】本発明一実施例分解斜視図
【図４】本発明他実施例ディスプレイ部の正面が手前側に位置する状態斜視図
【図５】本発明他実施例ディスプレイ部の背面が手前側に位置する状態斜視図
【図６】本発明他実施例分解斜視図
【図７】本発明Ｉ字型支持部材の実施例斜視図
【図８】本発明Ｌ字型支持部材の実施例斜視図
【図９】本発明一文字型支持部材の実施例斜視図
【図１０】本発明モニタの一実施例正面図
【符号の説明】
１　　ノート型パーソナルコンピュータ
２　　パーソナルコンピュータ本体
３　　モニタ
４　　支持部材
５　　ディスプレイ部
６　　モニタ画面
８　　カメラ
９　　基部
【図１】
2004145540.tif 000003
【図２】
2004145540.tif 000004
【図３】
2004145540.tif 000005
【図４】
2004145540.tif 000006
【図５】
2004145540.tif 000007
【図６】
2004145540.tif 000008
【図７】
2004145540.tif 000009
【図８】
2004145540.tif 000010
【図９】
2004145540.tif 000011
【図１０】
2004145540.tif 000012